(57)【要約】デバイスは暗い照明の状況でのメークアップ（１０）に用いられる。このデバイスは第一及び第二末端とその間に中間部をもつ本体チューブ（１４）をもつ。第一末端は内部と環状外部をもつ環状断面を有する。メークアップ塗布部（１６）は第一末端の内部に置かれる。第一末端の環状外部に位置する照明のための照明部（２２）がメークアップ塗布部（１６）を取り巻く。照明部は軸方向外測に照明を照射するように取り付けられる。照明部（２２）はスイッチ（６２１）により作動する電力供給部（２４）により電力を供給される。いくつかの応用例において、第二末端に第二メークアップ塗布部（１６）が設けられる。
2005530527.tif 000002
【特許請求の範囲】
【請求項１】
暗い照明状態で有用なメークアップアプリケーターで、
第一及び第二末端とその間に中間部をもち、第一末端は内部と環状外部をもつ環状断面を有する本体チューブと、
その第一末端は本体チューブの第一末端の内部に置かれ、また、その第二末端は軸方向外側に延びる第一メークアップ塗布部と、
第一末端の環状外部に位置し、軸方向外側に照明を照射するように取り付けられた第一照明部と、
本体チューブの内部に本体チューブの第一末端から軸方向内側に取り付けられ、第一照明部に電気的に接続された第一照明部の電力供給部と、
電力供給部を第一照明部に選択的に接続するスイッチを含むもの。
【請求項２】
請求項１記載のアプリケーターで、
スイッチが本体チューブの第二末端に位置するもの。
【請求項３】
請求項１記載のアプリケーターで、さらに、
本体チューブの第二末端が、内部と環状外部をもつ断面を有し、
その第一末端が本体チューブの第二末端の内部に位置し、また、その第二末端が軸方向外側に延びる第二メークアップ塗布部と、
第二末端の環状外部に位置し、また、照明を軸方向外側に照射するように取り付けた第二照明部と、
本体チューブの内部に位置し、また、第二照明部に電気的に接続されている第二照明部の電力供給部と、
電力供給部と第二照明部を選択的に接続するスイッチを含むもの。
【請求項４】
請求項１記載のアプリケーターで、
第一照明部が少なくとも一つの発光ダイオード（ＬＥＤ）を含むもの。
【請求項５】
請求項３記載のアプリケーターで、
第一及び第二照明部が、それぞれ少なくとも一つの発光ダイオード（ＬＥＤ）を含むもの。
【請求項６】
請求項１記載のアプリケーターで、
第一メークアップ塗布部が口紅を格納するチューブであるもの。
【請求項７】
請求項１記載のアプリケーターで、
第一メークアップ塗布部が、マスカラ用のブラシであるもの。
【請求項８】
請求項１記載のアプリケーターで、
第一メークアップ塗布部が、リップグロス用ブラシ、リップライナー用ブラシ又はアイライナー用ブラシであるもの。
【請求項９】
請求項１記載のアプリケーターで、
第一メークアップ塗布部が、アイライナー用ペンシルであるもの。
【請求項１０】
請求項３記載のアプリケーターで、
第一メークアップ塗布部が、口紅を格納するチューブ、マスカラ用ブラシ、リップグロス用ブラシ、リップライナー用ブラシ又はアイライナー用ブラシ、及びアイライナー用ペンシルを含むグループから選択され、
第二メークアップ塗布部が、口紅を格納するチューブ、マスカラ用ブラシ、リップグロス用ブラシ、リップライナー用ブラシ又はアイライナー用ブラシ、及びアイライナー用ペンシルを含むグループから個別に選択されるもの。
【請求項１１】
請求項１又は３記載のアプリケーターで、
本体チューブの第一末端が環状断面を持つもの。
【請求項１２】
請求項１又は３記載のアプリケーターで、
本体チューブの第一末端が楕円形の断面をもつもの。
【請求項１３】
請求項１又は３記載のアプリケーターで、
本体チューブの第一末端が長方形の断面をもつもの。
【請求項１４】
請求項１又は３記載のアプリケーターで、
本体チューブの第一末端が三角形の断面をもつもの。
【請求項１５】
請求項３記載のアプリケーターで、
単一電力供給部が、第一照明部と第二照明部の両方に電力を供給する手段としてはたらき、単一電力供給部が、本体チューブの内部に位置してそれぞれの照明部と電気的に接続されているもの。
【請求項１６】
請求項１５記載のアプリケーターで、
単一スイッチが、第一及び第二照明部と単一電力供給部を電気的に接続するスイッチとしてはたらくもの。
【請求項１７】
請求項１６記載のアプリケーターで、
スイッチが本体チューブの中間部外部表面に位置するもの。
【請求項１８】
請求項４記載のアプリケーターで、
少なくとも一つのＬＥＤが第一末端の環状外部に位置するもの。
【請求項１９】
請求項４記載のアプリケーターで、
少なくとも一つのＬＥＤが、本体チューブの内部に取り付けられ、また、照明伝達部によって第一末端の環状外部の発光部と接続されているもの。
【請求項２０】
請求項１９記載のアプリケーターで、
発光部が透明な素材の環状リングであるもの。
【請求項２１】
請求項１５記載のアプリケーターで、
少なくとも一つのＬＥＤが、本体チューブの内部に取り付けられており、また、照明伝達部によって第一末端環状外部の第一発光部及び第二末端の環状外部の第二発光部と接続されているもの。
【請求項２２】
請求項２１記載のアプリケーターで、
第一及び第二発光部が、それぞれ透明な素材の環状リングであるもの。
【発明の詳細な説明】
【技術分野】
【０００１】
（０００１）本願は２００２年４月２６日に提出した暫定出願Ｓｅｒ．Ｎｏ．６０／３７５，９８２の優先権を主張する出願である。 
【０００２】
（０００２）本発明は、発光ダイオード（ＬＥＤ）光源を備えるメークアップアプリケーターに関するものである。
【背景技術】
【０００３】
技術背景
（０００３）口紅やその他のメークアップの適切な実施にはある程度の視覚的インプットが必要であり、そのため通常は鏡の前で行われる。照明が暗い状況では、しばしば補助照明が必要となる。そのような補助照明は、実施部分に向けられる必要がある。
【０００４】
（０００４）光源を備えたメークアップアプリケーターは、この問題の理想的な解決法である。従来の技術でも効果的な解決法を提供するための多くの試みがなされたが、これらのコンセプトを統合させた商品を手に入れることはできない事実から、実際にはこれらの試みには役に立っていない。
【０００５】
（０００５）従来技術の１つ、ワン（Ｈｗａｎｇ）に与えられたアメリカ合衆国特許４，８８８，６６７（１９８９年１２月１９日）は、ランプデバイスを備えた口紅キャップで、通常の口紅スリーブを入れるキャップスリーブが含まれ、また、キャップスリーブにはロータリースイッチが取り付けられている。ここでキャップスリーブの中には、多数のランプデバイスと対の電導板が装備されており、電導板は一連のランプデバイスと電気的に接続している。ロータリースイッチは、陰極と陽極の電導板の入ったバッテリー格納部をもつが、この電導板によってロータリースイッチを回転させて口紅キャップの電導板と選択的に電気的に接続することができる。バッテリー格納部にバッテリーが入っていれば、このランプデバイスを点灯してメークアップアプリケーターを光らすことができる。
【発明の開示】
【発明が解決しようとする課題】
【０００６】
（０００６）したがって、本発明の目的は、照明の暗い状況での使用時に効果的に点灯するメークアップアプリケーターを提供することである。
【課題を解決するための手段】
【０００７】
発明の概要
（０００７）本発明の上記の目的及びその他の目的が、照明の暗い状況で役立つメークアップ用のアプリケーターによって達成される。このアプリケーターは、本体チューブ、第一メークアップ塗布部、第一照明部、第一照明部に電力を供給する部、及びスイッチから構成される。本体チューブは、第一及び第二末端をもち、その間に中間部がある。第一末端は、内部と環状外部をもつ環状断面を有する。第一メークアップ塗布部は、この部分が本体チューブ第一末端の内部に配置された第一末端と、軸方向外側に延びている第二末端を有している。第一照明部は、第一末端の環状外部に配置され、そして、軸方向外側に照明を照射するよう取り付けられている。第一照明部の電力供給部は、本体チューブ内に本体チューブの第一末端から軸方向内側に取り付けられ、そして、第一照明部と電気的に接続される。スイッチは、選択的に電力供給部と第一照明部を接続する。
【０００８】
（０００８）本発明のいくつかの応用例では、スイッチは本体チューブの第二末端に取り付けられる。
【０００９】
（０００９）本発明の他の応用例では、アプリケーターの第二末端が内部と環状外部をもつ断面を有し、ここで第二末端には第二メークアップ塗布部を備える。第二メークアップ塗布部の第一末端は、本体チューブの第二末端の内部に配置される。第二メークアップ塗布部の第二末端は、軸方向外側に延びる。第二照明部は、第二末端の環状外部に配置され、照明を軸方向外側に照射するために取り付けられている。本体チューブの内部に配置されて第二照明部と電気的に接続される第二照明部の電力供給部を備え、同様に電力供給部を第二照明部に選択的に接続するスイッチも備える。
【００１０】
（００１０）これらの応用例のいくつかにおいて、単一電力供給部が第一照明部と第二照明部の両方に電力を供給する電力供給部として用いられるものがあり、この単一電力供給部は、本体チューブの内部に取り付けられて両方の照明部にそれぞれ電気的に接続される。これらの応用例の多くにおいて、単一スイッチが、第一及び第二照明部の両方と単一電力供給部を電気的に接続するスイッチとして働く。このような単一スイッチは、本体チューブの中間部の外部表面に取り付けられることになるであろう。
【００１１】
（００１１）本発明の多くの応用例において、第一照明部、及び存在しているならば第二照明部は、少なくとも一つの発光ダイオード（ＬＥＤ）を含んでいる。
【００１２】
（００１２）提示する応用例として、第一メークアップ塗布部及び第二メークアップ塗布部は、口紅を格納するチューブ、マスカラ用ブラシ、リップグロス用ブラシ、リップライナー用ブラシ又はアイライナー用ブラシ、及びアイライナー用ペンシルから構成されるグループから個別に選択することができる。
【００１３】
（００１３）本発明のいくつかの応用例において、本体チューブの第一末端は環状断面をもつ。他の応用例では、本体チューブ第一末端は楕円断面をもつが、長方形や三角形の断面をもつものもある。
【００１４】
（００１４）少なくとも一つの応用例、少なくとも一つのＬＥＤが第一末端（及び存在している場合は第二末端）の環状外部に直接取り付けられる。
【００１５】
（００１５）他の応用例では、少なくとも一つのＬＥＤが本体チューブの内部に取り付けられ、このＬＥＤは照明伝達部によって第一末端（及び、存在する場合は第二末端）の環状外部にある照明発光部と連結される。この場合、照明発光部は、透明素材の環状リングにすることができる。
【発明を実施するための最良の形態】
【００１６】
好ましい応用形態の詳細な記述
（００２５）図１及び２（それぞれ分解図と組み立て図）に示した本発明のメークアップアプリケーター１０が有する特徴の多くはよく知られているものであり、従来の技術として知られているメークアップアプリケーターと大きく変わらない。たとえば、口紅キャップ１２は、第一メークアップ塗布部１３に合わせて作られ、このようなケースでは、口紅メークアップ１６を格納するスリーブ１８を備える口紅機構があり、使用していないときは口紅スリーブの中に回転させながら収納することができる。口紅スリーブ１８は本体チューブ１４に引き込んで収納され、口紅スリーブは本体チューブに第一末端から軸方向外側へ延びている。多くの応用例では、使用中に、口紅キャップ１２を逆方向の本体チューブ１４の第二末端と選択的に結合することができる。
【００１７】
（００２６）しかしながら、本発明のメークアップアプリケーター１０は、口紅機構１３の周辺に小さい白熱ランプを用いる従来の技術において開示されていない、また、示唆されてもいない多数の特徴を有している。また、従前の技術では、選択的にランプを点灯するスイッチ機構を取り入れていることが知られている。本発明では、これと対照的な異なる方式の照明を用いる。
図１を参照すると、回路基盤２０は、少なくとも一つの発光ダイオード（ＬＥＤ）２２、ＬＥＤに電力を供給する小さなバッテリー２４、及びバッテリーをＬＥＤに選択的に接続する適切な電気伝導装置を含んでいることがわかる。図示されているこの特定の応用例において、実際に回路基盤２０上に二つのＬＥＤ２２が示されている。この回路基盤２０は、本体チューブ１４の底部に収納するよう形成され、第一末端から軸方向内方に入れられる本体チューブ内の部品である。
【００１８】
（００２７）本体チューブ１４内の口紅機構１３を取り巻くのは、照明パイプ調整材２６である。この照明パイプ調整材２６は、少なくとも一つの脚部３０をもつ光伝達素材でできたリング２８により特徴付けられる。脚部３０の数は、回路基盤２０に用いられるＬＥＤ２２の数に一致しなければならない。照明パイプ調整材２６は、本体チューブ１４の第一末端の環状外部部品としてはたらき、また、口紅機構１３の周囲に嵌合してこれを口紅スリーブの中に安定させるのを補助する。脚部３０はＬＥＤから光を集め、照明をリングに送り、リングは放散と均一性の点で適切な発光をする。好ましい応用形態では、非発光表面における照明損失を避けるために、照明パイプ調整材の非発光表面に反射素材を使うことができる。また、照明を照明パイプ調整材内に保持するために素材の屈折率が選択される。これらの理由から、照明パイプ機構２６と脚部３０に適した素材は、透明の高分子素材になると思われる。
【００１９】
（００２８）いくつかの従来技術では、光源のオンオフのために比較的複雑なスイッチ機構を用いているが、本発明においては、白熱ランプの代わりにＬＥＤ光源を使用することによりいくつかの複雑さを除去する。白熱ランプに比べて比較的電力消費の少ないＬＥＤの採用により、はるかに長いバッテリー寿命を可能とし、使用しないときに光源を切っておくことは、もはや重要なことではなくなった。実際に、キャップがスリーブから外されているとき、または、キャップがキャップの底端まで入れられているとき、これはほんのわずかな例にすぎないが、いつでもＬＥＤ２２を点灯できる単純なスイッチ機構（図１と２には示されていない）で、少なくとも口紅そのものの寿命、すなわちデバイス全体が廃棄される時点までバッテリーの寿命を維持するのに十分である。多くの場合、オンオフの点灯機構を担うスイッチは、本体チューブ１４の第二末端に配置される。
【００２０】
（００２９）図１の本体チューブ１４は、すぐに分かるとおり断面が楕円形である。本体チューブの典型的な四種類の異型底面図において、楕円本体チューブの第二末端におけるスイッチ３２の配置を図示しているのは図３ａである。円形断面をもつ二番目のタイプの本体チューブ１１４の底部における同じスイッチ３２の配置が図３ｂに示されている。長方形の断面をもつ本体チューブ２１４の第二末端におけるスイッチ３２の使用が図３ｃに示されている。また、三角形の断面をもつ本体チューブ３１４の第二末端におけるスイッチ３２の使用が図３ｄに示されている。
【００２１】
（００３０）本体チューブ１４の断面が本発明におけるそれぞれの応用例で異なるように、メークアップ塗布部１３のタイプも応用例ごとに異なる。図１では口紅機構として例示されたメークアップ塗布部１３が示されている。図４ａ〜ｃは、個別の側面図において二タイプのブラシ１１３、２１３とペンシル３１３を示しており、いずれもメークアップ塗布部として用いることができる。図４ａのブラシ１１３は、短く放射状に伸びた剛毛４０をもち、これはマスカラのようなものをまつ毛に塗布するのに便利である。図４ｂのブラシ２１３は、より長く軸方向に延びた剛毛４２を有し、わずかな例ではあるが、リップグロス、リップライナー、アイライナーなどの塗布に用いることができる。図４ｃのペンシル３１３は、アイライナーの塗布に用いることができる。これらのいずれのケースにおいても、メークアップの塗布は、機構の第二末端によって行うことができ、本機構の第一末端の直径を拡大し、又は基体を添付することにより、メークアップ塗布デバイスは、本体チューブ中に引き込んで収納される。
【００２２】
（００３１）本発明デバイスの他の応用例４１０が図５に示されているが、末端のキャップは、典型的なものが提供されるので、ここには示されていない。この応用例４１０では、第一メークアップ塗布部１３は、口紅メークアップ１６を格納するスリーブ１８をもつ口紅機構で、これは使用していないとき口紅スリーブ中に回転させて引き込むことができる。口紅スリーブ１８が本体チューブ４１４の第一末端に嵌められており、ここから軸方向外側に口紅スリーブが延びている。
第二応用例デバイス４１０は、従来の技術で開示されていない、あるいは示唆されていない多数の特徴を持っている。とくに第二応用例４１０は、内部と環状外部をもつ断面の第二末端をもつ。この第二末端は、第二メークアップ塗布部４３を備え、その第一末端は本体チューブの第二末端の内部に位置し、その第二末端は軸方向外側に延びている。示されている特定の応用例において、第二末端は第二メークアップ塗布部４３になっており、これは図４ａに示されているタイプのマスカラタイプのブラシである。
【００２３】
（００３２）この第二応用例４１０は、第二照明部６０をもっており、これは図１において照明パイプ調整材２６として紹介されている第一照明部と同様のものである。照明部６０の内部の詳細は、具体的に明らかにされていないが、この出願において明らかにされた内部機構と同様のものであると理解できるであろう。また、前の応用例におけるスイッチ３２が機能しないことが理解できるであろう。というのは本体チューブの第二末端が第二メークアップ塗布部によって占められているからである。したがって、本体チューブ中の内部機構は中心部に配置されており、また、スイッチ４３２は好ましくは本体チューブ４１４の中間部の外表面中央に配置される。本体チューブ４１４は、楕円形、円形、長方形又は三角形の断面にでき、これはすでに示された第一応用例１０の本体チューブ１４と同様である。
【００２４】
（００３３）照明部への別々の電力供給部及び本体チューブ４１４の外部に別々のスイッチ４３２を設けることはできるが、多くの場合、電力供給部及びスイッチは合体して単一の電力供給部及びスイッチとして強化され、本体チューブの両端照明部を効果的に点灯することができる。
【００２５】
（００３４）次に図６から８を参照すると、本発明の第三応用例５１０が開示されている。この応用例では、発光体格納ホルダー６１２をもつ発光体格納ベース６１０が備えられている。この発光体格納ベースにより発光体６２０の配置が可能になり、その発光体６２０の背面には電源スイッチ６２１がある。また、発光体の背面は、組み立てボックスキャップ６１５上に内径ねじ山６１６があり、発光体格納ベース６１０本体の外径ねじ山６１４と結合し、単一体を形成する。一つのＬＥＤ６２５、負極伝導プレート６２４及び正極伝導プレート６２３が備えられている。また、バッテリー６２６、口紅アセンブリー６３０、口紅回転リング６３２及び口紅６３３がある。口紅回転リング６３２の底部６３１は、発光体格納ベース上部の口紅アセンブリー格納ホルダー６１１の中に配置することができ、このとき口紅アセンブリー６３０を格納するために、鏡格納スリーブ６４０の上端にある鏡表面６４１の内径６４２を口紅格納ホルダーの外径に滑り込ませることができる。
【００２６】
（００３５）第三応用例５１０の詳細は、図７中の組み立て側面図に見ることができる。
【００２７】
（００３６）第三応用例５１０の使用例は、図８に図示されている。このような使用において、鏡格納スリーブ６４０は、発光体格納ベース６１０から引き抜かれる。発光体格納ベース６１０は、使用者の片手で保持される。電源スイッチ６２１を入れることで、口紅アセンブリー６３０の近辺に取り付けられているＬＥＤ６２５が点灯され、ここから利用者の唇６６０のための軸方向に広がる照明が発生する。鏡格納スリーブ６４０の鏡表面６４１は、使用者の他方の手で保持することができ、希望すればこの部分が鏡を提供する。
【００２８】
（００３７）この第三応用例５１０では、ＬＥＤを本体チューブ内に配置するのではなく、本体チューブ６１４の第一末端に直接ＬＥＤが配置されることが容易に理解できるであろう。また、この第三応用例では、メークアップ塗布部を受けるために本体チューブの一つの末端のみの使用を示しているが、必要があれば上述の方法で本体チューブの両端を利用できることが容易に理解できるであろう。
【００２９】
（００３８）ここに記述された原理が理解できれば、添付の特許請求の範囲内の多数のバリエーションが本技術に含まれる技術であることは明らかである。
【００３０】
図の概要記述
（００１６）本発明は、添付の図面を参照することでより容易に理解できるであろう。それぞれのパーツは、それぞれの参照番号によって識別される。その中には以下のものがある。
【図面の簡単な説明】
【００３１】
【図１】（００１７）図１は、本発明の第一応用例の分解図を示している。
【図２】（００１８）図２は、第一応用例の組み立て図を示している。
【図３】（００１９）図３ａから３ｄは、第一応用例アプリケーターの第二末端の底面を示している。
【図４】（００２０）図４ａから４ｃは、様々なメークアップ塗布部の側面図を示している。
【図５】（００２１）図５は、本発明の第二応用例の組み立て側面図を示している。
【図６】（００２２）図６は、本発明の第三応用例の分解図を示している。
【図７】（００２３）図７は、第三応用例の組み立て側面図を示している。
【図８】（００２４）図８は、使用中の本発明第三応用例を示している。
【図１】
2005530527.tif 000003
【図２】
2005530527.tif 000004
【図３】
2005530527.tif 000005
【図４】
2005530527.tif 000006
【図５】
2005530527.tif 000007
【図６】
2005530527.tif 000008
【図７】
2005530527.tif 000009
【図８】
2005530527.tif 000010
【手続補正書】
【提出日】平成16年7月12日(2004.7.12)
【手続補正１】
【補正対象書類名】特許請求の範囲
【補正対象項目名】全文
【補正方法】変更
【補正の内容】
【特許請求の範囲】
【請求項１】
暗い照明状態で有用なメークアップアプリケーターで、
第一及び第二末端とその間に中間部をもち、第一末端は内部と環状外部をもつ環状断面を有する本体チューブと、
その第一末端は本体チューブの第一末端の内部に置かれ、また、その第二末端は軸方向外側に延びる第一メークアップ塗布部と、
第一末端の環状外部に位置しており、また、照明が光伝達材を通じて軸方向外側に照明を照射するように取り付けられた第一照明部と、
本体チューブの内部に本体チューブの第一末端から軸方向内側に取り付けられ、第一照明部に電気的に接続された第一照明部の電力供給部と、
電力供給部を第一照明部に選択的に接続するスイッチを含むもの。
【請求項２】
請求項１記載のアプリケーターで、
スイッチが本体チューブの第二末端に位置するもの。
【請求項３】
請求項１記載のアプリケーターで、さらに、
本体チューブの第二末端が、内部と環状外部をもつ断面を有し、
その第一末端が本体チューブの第二末端の内部に位置し、また、その第二末端が軸方向外側に延びる第二メークアップ塗布部と、
第二末端の環状外部に位置し、また、照明を軸方向外側に照射するように取り付けた第二照明部と、
本体チューブの内部に位置し、また、第二照明部に電気的に接続されている第二照明部の電力供給部と、
電力供給部と第二照明部を選択的に接続するスイッチを含むもの。
【請求項４】
請求項１記載のアプリケーターで、
第一照明部が少なくとも一つの発光ダイオード（ＬＥＤ）を含むもの。
【請求項５】
請求項３記載のアプリケーターで、
第一及び第二照明部が、それぞれ少なくとも一つの発光ダイオード（ＬＥＤ）を含むもの。
【請求項６】
請求項１記載のアプリケーターで、
第一メークアップ塗布部が口紅を格納するチューブであるもの。
【請求項７】
請求項１記載のアプリケーターで、
第一メークアップ塗布部が、マスカラ用のブラシであるもの。
【請求項８】
請求項１記載のアプリケーターで、
第一メークアップ塗布部が、リップグロス用ブラシ、リップライナー用ブラシ又はアイライナー用ブラシであるもの。
【請求項９】
請求項１記載のアプリケーターで、
第一メークアップ塗布部が、アイライナー用ペンシルであるもの。
【請求項１０】
請求項３記載のアプリケーターで、
第一メークアップ塗布部が、口紅を格納するチューブ、マスカラ用ブラシ、リップグロス用ブラシ、リップライナー用ブラシ又はアイライナー用ブラシ、及びアイライナー用ペンシルを含むグループから選択され、
第二メークアップ塗布部が、口紅を格納するチューブ、マスカラ用ブラシ、リップグロス用ブラシ、リップライナー用ブラシ又はアイライナー用ブラシ、及びアイライナー用ペンシルを含むグループから個別に選択されるもの。
【請求項１１】
請求項１又は３記載のアプリケーターで、
本体チューブの第一末端が環状断面を持つもの。
【請求項１２】
請求項１又は３記載のアプリケーターで、
本体チューブの第一末端が楕円形の断面をもつもの。
【請求項１３】
請求項１又は３記載のアプリケーターで、
本体チューブの第一末端が長方形の断面をもつもの。
【請求項１４】
請求項１又は３記載のアプリケーターで、
本体チューブの第一末端が三角形の断面をもつもの。
【請求項１５】
請求項３記載のアプリケーターで、
単一電力供給部が、第一照明部と第二照明部の両方に電力を供給する手段としてはたらき、単一電力供給部が、本体チューブの内部に位置してそれぞれの照明部と電気的に接続されているもの。
【請求項１６】
請求項１５記載のアプリケーターで、
単一スイッチが、第一及び第二照明部と単一電力供給部を電気的に接続するスイッチとしてはたらくもの。
【請求項１７】
請求項１６記載のアプリケーターで、
スイッチが本体チューブの中間部外部表面に位置するもの。
【請求項１８】
請求項４記載のアプリケーターで、
少なくとも一つのＬＥＤが第一末端の環状外部に位置するもの。
【請求項１９】
請求項４記載のアプリケーターで、
少なくとも一つのＬＥＤが、本体チューブの内部に取り付けられ、また、照明伝達部によって第一末端の環状外部の発光部と接続されているもの。
【請求項２０】
請求項１９記載のアプリケーターで、
発光部が透明な素材の環状リングであるもの。
【請求項２１】
請求項１５記載のアプリケーターで、
少なくとも一つのＬＥＤが、本体チューブの内部に取り付けられており、また、照明伝達部によって第一末端環状外部の第一発光部及び第二末端の環状外部の第二発光部と接続されているもの。
【請求項２２】
請求項２１記載のアプリケーターで、
第一及び第二発光部が、それぞれ透明な素材の環状リングであるもの。
【国際調査報告】
2005530527.tif 000011